(57)【要約】【課題】スタンド部の操作が容易な携帯用かんなを提供する。【解決手段】スタンド５は、リヤベース４の後端部に、スタンド支点軸８を中心に回動可能に設けられる。スプリング１０はスタンド５を起立方向に付勢する。レバー１２は、ハンドル部１３に、レバー支点軸１８を中心に回動可能に設けられる。ハンドル部１３の両側面にはそれぞれ貫通孔１９が設けられ、レバー１２は貫通孔１９を通ってハンドル部１３の側方両側に突出する。ワイヤ１１はスタンド５とレバー１２との間に設けられる。スタンド５を解除する際には、使用者は、ハンドル部１３を握り、レバー１２を反時計回りに回動する。すると、スタンド５は、ワイヤ１１に引っ張られて解除方向に回動し、図１に示す起立状態から解除状態になる。【選択図】図１
2014104678.tif 000002
【特許請求の範囲】
【請求項１】
ベース部と、回転駆動されて前記ベース部の下面から突出する刃物と、所定の回動位置において前記ベース部の下面から突出するスタンド部と、前記スタンド部を前記ベース部の下面から突出しない退避位置に回動可能な操作部材とを備える、携帯用かんな。
【請求項２】
前記操作部材と前記スタンド部との間にワイヤが設けられ、前記操作部材の操作により前記ワイヤが引っ張られて前記スタンド部が前記退避位置に回動する、請求項１に記載の携帯用かんな。
【請求項３】
前記ワイヤはハウジングの内側を通って前記スタンド部から前記操作部材に至り、前記ワイヤをガイドするガイド部が前記ハウジングの内側に設けられている、請求項２に記載の携帯用かんな。
【請求項４】
前記操作部材がハンドル部に設けられている請求項１から３のいずれか一項に記載の携帯用かんな。
【請求項５】
前記操作部材が前記ハンドル部の側方両側に突出する請求項４に記載の携帯用かんな。
【請求項６】
前記操作部材は前記ハンドル部に支点を有するレバー部である請求項４又は５に記載の携帯用かんな。
【請求項７】
前記操作部材は回動中心が前記スタンド部と共通のレバー部である請求項１に記載の携帯用かんな。
【請求項８】
前記レバー部が前記ベース部の側方に延在している請求項７に記載の携帯用かんな。
【請求項９】
前記操作部材により前記スタンド部を前記退避位置に回動させた状態における前記操作部材の位置を保持する保持手段を備える請求項１から８のいずれか一項に記載の携帯用かんな。
【請求項１０】
前記スタンド部を前記所定の回動位置に向けて付勢する付勢手段を備える請求項１から９のいずれか一項に記載の携帯用かんな。
【発明の詳細な説明】
【技術分野】
【０００１】
本発明は、例えば木材の表面を削るのに用いて好適な携帯用かんなに関する。
【背景技術】
【０００２】
携帯用かんなの基本的な構成は、例えば下記特許文献１に開示されている。携帯用かんなにおいては、被削材を傷つけることなく置くために、回動可能なスタンドを設けることがある。
【先行技術文献】
【特許文献】
【０００３】
【特許文献１】特開２００９−１１３３９３号公報（本出願人提案）
【発明の概要】
【発明が解決しようとする課題】
【０００４】
スタンド付きの携帯用かんなで例えば被削材の段差を修正する場合、スタンドを手で回動させて解除するか、被削材上で携帯用かんなを押してスタンドを解除する必要がある。しかし、スタンドを手で解除する作業は煩雑であり、また被削材上で携帯用かんなを押してスタンドを解除する場合は、誤ってベースと被削材とを衝突させてしまう恐れがある。またスタンドが立ったまま被削材上を引きずることもある。
【０００５】
本発明はこうした状況を認識してなされたものであり、その目的は、スタンド部の操作が容易な携帯用かんなを提供することにある。
【課題を解決するための手段】
【０００６】
本発明のある態様は、携帯用かんなであり、ベース部と、回転駆動されて前記ベース部の下面から突出する刃物と、所定の回動位置において前記ベース部の下面から突出するスタンド部と、前記スタンド部を前記ベース部の下面から突出しない退避位置に回動可能な操作部材とを備える。
【０００７】
前記操作部材と前記スタンド部との間にワイヤが設けられ、前記操作部材の操作により前記ワイヤが引っ張られて前記スタンド部が前記退避位置に回動してもよい。
【０００８】
前記ワイヤはハウジングの内側を通って前記スタンド部から前記操作部材に至り、前記ワイヤをガイドするガイド部が前記ハウジングの内側に設けられていてもよい。
【０００９】
前記操作部材がハンドル部に設けられていてもよい。
【００１０】
前記操作部材が前記ハンドル部の側方両側に突出してもよい。
【００１１】
前記操作部材は前記ハンドル部に支点を有するレバー部であってもよい。
【００１２】
前記操作部材は回動中心が前記スタンド部と共通のレバー部であってもよい。
【００１３】
前記レバー部が前記ベース部の側方に延在していてもよい。
【００１４】
前記操作部材により前記スタンド部を前記退避位置に回動させた状態における前記操作部材の位置を保持する保持手段を備えてもよい。
【００１５】
前記スタンド部を前記所定の回動位置に向けて付勢する付勢手段を備えてもよい。
【００１６】
なお、以上の構成要素の任意の組合せ、本発明の表現を方法やシステムなどの間で変換したものもまた、本発明の態様として有効である。
【発明の効果】
【００１７】
本発明によれば、スタンド部の操作が容易な携帯用かんなを提供できる。
【図面の簡単な説明】
【００１８】
【図１】本発明の実施の形態１に係る携帯用かんなの要部側断面図。
【図２】図１のＡ−Ａ断面図。
【図３】本発明の実施の形態２に係る携帯用かんなの、スタンド５を立てた状態の要部側断面図。
【図４】同携帯用かんなの、スタンド５を解除した状態の要部側断面図。
【図５】本発明の実施の形態３に係る携帯用かんなの要部構造図。
【図６】比較例に係る携帯用かんなの側面図。
【図７】図６に示す携帯用かんなの使用時側面図（その１）。
【図８】図６に示す携帯用かんなの使用時側面図（その２）。
【図９】図６に示す携帯用かんなで使用時側面図（その３）。
【発明を実施するための形態】
【００１９】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２０】
まず、上述の課題をより詳細に説明するために、比較例について説明する。図６は、比較例に係る携帯用かんなの側面図である。この携帯用かんなは、商用電源等の交流電源からの電力供給で動作する。電動機により駆動されるカッタブロック１がハウジング９の中央部に回転自在に支持される。カッタブロック１の外周部には刃物２が取り付けられる。ハウジング９の下部には被削材に接するフロントベース３及びリヤベース４が取り付けられる。フロントベース３及びリヤベース４はベース部の例示である。リヤベース４の後部にはスタンド５が回動可能に設けられる。スタンド５は、不図示のスプリング（ねじりコイルばね）により起立状態（図６に示す状態）となるように付勢され、リヤベース４の下面より突出する。非切削時はフロントベース３の先端とスタンド５が支点となり、被削材を傷つけることなく携帯用かんなを置くことが可能である。切込み深さ調整機構７は、フロントベース３を上下動させて刃物２による被削材の切込み深さを調整するために設けられる。
【００２１】
図７は、図６に示す携帯用かんなの使用時側面図（その１）である。図８は、図６に示す携帯用かんなの使用時側面図（その２）である。使用者は、携帯用かんなのハンドル部１３を握り、図７に示すようにフロントベース３を被削材６上に乗せ、起動スイッチ１４を操作する（引く）。そしてフロントベース３を被削材６に沿わせて前方へ進め、カッタブロック１の回転に伴う刃物２の回転により被削材６を切削加工する。切削が始まると、以降は図８に示すようにリヤベース４を切削加工面に沿わせ、ハウジング９を前進させてゆく。スタンド５は回動可能なため、ハウジング９の進行とともに被削材６により図８に示すように切削加工面まで持ち上げられる。
【００２２】
図９は、図６に示す携帯用かんなで使用時側面図（その３）である。図７及び図８は被削材６の端から加工する場合を示すのに対し、図９は被削材６の中間部に生じた段差８を修正する場合を示す。図９に示す状態では、スタンド５が立っていて刃物２と被削材６との間に隙間が存在するため切削加工ができない。このため、使用者は例えば手で直接スタンド５を後方に回動（解除）してから被削材６上に乗せる、あるいは、被削材６上で携帯用かんなを押して被削材６とスタンド５との摩擦力によりスタンド５を後方に回動（解除）する等の作業が必要になる。しかし、スタンド５を手で直接操作して解除する作業は煩雑であり、また被削材６上で携帯用かんなを押してスタンド５を解除する場合は、誤ってベース部（特にリヤベース４）と被削材６とを衝突させてしまう恐れがある。またスタンド５が立ったまま被削材６上を引きずることもある。以下の実施の形態は、こうした問題を解決することを目的とする。
【００２３】
図１は、本発明の実施の形態１に係る携帯用かんなの要部側断面図である。図２は、図１のＡ−Ａ断面図である。スタンド５は、リヤベース４の後端部に、スタンド支点軸８を中心に回動可能に設けられる。スプリング１０は、例えばねじりコイルばねであり、スタンド支点軸８に設けられてスタンド５を起立方向（図１では時計回り）に付勢する。スタンド５にはスタンド支点軸８から所定長だけ離れたワイヤ取付部５ａが設けられ、金属線等のワイヤ１１の一端がワイヤ取付部５ａに連結される。
【００２４】
ハンドル部１３の内側にはレバー支点軸１８が設けられる。操作部材としての例えば樹脂製のレバー１２は、ハンドル部１３に、レバー支点軸１８を中心に回動可能に設けられる。ハンドル部１３の両側面にはそれぞれ貫通孔１９が設けられ、レバー１２は貫通孔１９を通ってハンドル部１３の側方両側に突出する突出部１２ａを有する。貫通孔１９はレバー１２の回動範囲を規定する。レバー１２には、レバー支点軸１８から所定長だけ離れた位置にワイヤ１１の他端が連結される。すなわちワイヤ１１はスタンド５とレバー１２との間に設けられる。
【００２５】
ワイヤ１１は、ハウジング９の内部を通ってスタンド５からレバー１２に至る。ワイヤ１１は、ハウジング９の内部において、ワイヤガイド１５〜１７及びハウジング９の内壁にガイドされる。ワイヤガイド１５〜１７は、ハウジング９の内壁に突出する突起部でもよいし、ハウジング９の内壁に取り付けられたローラーであってもよい。
【００２６】
スタンド５を解除する際には、使用者は、ハンドル部１３を握り、レバー１２を図１の反時計回りに回動する。すると、スタンド５は、ワイヤ１１に引っ張られて解除方向（図１の反時計回り）に回動し、図１に示す起立状態から解除状態（リヤベース４の下面から突出しない退避位置にある状態）になる。
【００２７】
本実施の形態のその他の点は、図６に示す比較例ないし従来技術と同様でよいため、ここでは説明を省略する。
【００２８】
本実施の形態によれば、下記の効果を奏することができる。
【００２９】
(1) 使用者はハンドル部１３を握った手でレバー１２を回動することでスタンド５を起立位置から退避位置に回動できるため、スタンド５に直接触れてスタンド５を回動する場合と比較して作業性が良い。また、被削材６上で携帯用かんなを押してスタンド５を解除する場合と異なりベース部（特にリヤベース４）と被削材６との衝突を容易に避けることができる。
【００３０】
(2) レバー１２がハンドル部１３の側方両側に突出するため、ハンドル部１３を左右どちらの手で握ってもレバー１２を簡単に操作することができる。
【００３１】
(3) ワイヤガイド１５〜１７によりワイヤ１１を適当な方向にガイドすることで、レバー１２の回動を好適に伝達してスタンド５を回動することができる。
【００３２】
図３は、本発明の実施の形態２に係る携帯用かんなの、スタンド５を立てた状態の要部側断面図である。図４は、同携帯用かんなの、スタンド５を解除した状態の要部側断面図である。この携帯用かんなは、図１及び図２に示した実施の形態１のものと比較して、レバー１２によりスタンド５を退避位置に回動させた状態におけるレバー１２の回動位置を保持する構成とした点で相違し、その他の点で一致する。レバー１２は、ハンドル部１３内のレバー支点軸１８を貫通させる長孔２０を有する。ハンドル部１３の両側面の貫通孔１９はそれぞれ、レバー支点軸１８を中心とする円弧状の回動ガイド部１９ａと、回動ガイド部１９ａの一端から曲率中心側（レバー支点軸１８側）に延びる係止部１９ｂとを有する。使用者は、図３に示す状態からレバー１２の突出部１２ａを回動ガイド部１９ａの一端まで反時計回りに回動させて、図４に示すように突出部１２ａを回動ガイド部１９ａから係止部１９ｂにスライドさせる（レバー支点軸１８を長孔２０に沿って相対的にスライドさせる）。すると、レバー１２から手を離しても突出部１２ａは係止部１９ｂに保持されて回動しなくなり、スタンド５を退避位置に維持できる。本実施の形態によれば、実施の形態１と同様の効果を奏すると共に、スタンド５を退避状態に保持できるため便利である。
【００３３】
図５（Ａ）は、本発明の実施の形態３に係る携帯用かんなの要部構造図である。図５（Ｂ）は、図５（Ａ）のＢ−Ｂ断面図である。この携帯用かんなは、図１及び図２に示した実施の形態１のものと異なり、スタンド５を操作するためのレバー２１をスタンド５と一体に設けている。レバー２１は、スタンド５と支点軸が共通で、Ｌ字状であってリヤベース４の側方に突出し上方に延びる。本実施の形態によれば、ハンドル部１３を握った手ではスタンド５を解除できないものの、別の手でレバー２１を回動することにより、スタンド５に直接触れてスタンド５を回動する場合と比較して容易にスタンド５を起立位置から退避位置に回動でき作業性が良い。
【００３４】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３５】
実施の形態１及び２において、レバー１２は、ハンドル部１３の側方の片側のみに突出してもよい。
【符号の説明】
【００３６】
１  カッタブロック、２  刃物、３  フロントベース、４  リヤベース、５  スタンド、５ａ  ワイヤ取付部、６  被削材、７  切込み深さ調整機構、８  スタンド支点軸、９  ハウジング、１０  スプリング、１１  ワイヤ、１２  レバー、１２ａ  突出部、１３  ハンドル部、１４  起動スイッチ、１５  ワイヤガイド、１６  ワイヤガイド、１７  ワイヤガイド、１８  レバー支点軸、１９  貫通孔、１９ａ  回動ガイド部、１９ｂ  係止部、２０  長孔、２１  レバー
【図１】
2014104678.tif 000003
【図２】
2014104678.tif 000004
【図３】
2014104678.tif 000005
【図４】
2014104678.tif 000006
【図５】
2014104678.tif 000007
【図６】
2014104678.tif 000008
【図７】
2014104678.tif 000009
【図８】
2014104678.tif 000010
【図９】
2014104678.tif 000011